(57)【要約】      （修正有）【課題】欠損した計測データの補完を行う際のサーバの負荷を軽減する。【解決手段】サーバ３０は、ＨＧＷ２０から計測データおよびタイムスタンプを取得した場合には、計測データおよびタイムスタンプを計測データ記憶部に格納する格納部と、自装置で記憶する最新の計測データのタイムスタンプをＨＧＷ２０に通知する通知部を備える。ＨＧＷ２０は、サーバ３０から送信された最新の計測データのタイムスタンプを基に、サーバ３０に送信されていない計測データがあるか判定し、送信されていない計測データがある場合には、計測データを欠損した計測データとしてスマートメータ１０に要求する要求部と、スマートメータ１０から受信した計測データおよびタイムスタンプをサーバ３０に転送する転送部を備える。【選択図】図１
2018055166.tif 000002
【特許請求の範囲】
【請求項１】
計測データを所定時間ごとに取得するメータと、前記計測データをタイムスタンプとともに記憶するサーバと、前記計測データを前記サーバに送信するゲートウェイ装置とを有する計測システムであって、
前記メータは、
前記計測データを所定時間ごとに取得し、取得した計測データにタイムスタンプを付して前記ゲートウェイ装置に送信する取得部と；
前記ゲートウェイ装置から計測データの要求を受信した場合には、該要求された計測データを取得し、取得した計測データにタイムスタンプを付して前記ゲートウェイ装置に送信する送信部と；を具備し、
前記サーバは、
前記ゲートウェイ装置から前記計測データおよび前記タイムスタンプを取得した場合には、該計測データおよび前記タイムスタンプを記憶部に格納する格納部と；
自装置で記憶する最新の計測データのタイムスタンプをゲートウェイ装置に通知する通知部と；を具備し、
前記ゲートウェイ装置は、
前記サーバから送信された前記最新の計測データのタイムスタンプを基に、前記サーバに送信されていない計測データがあるか判定し、送信されていない計測データがある場合には、該計測データを欠損した計測データとして前記メータに要求する要求部と；
前記メータから受信した前記計測データおよび前記タイムスタンプを前記サーバに転送する転送部と；
を具備することを特徴とする計測システム。
【請求項２】
前記サーバは、前記欠損した計測データのうち、優先的に補完する計測データを決定し、優先的に補完する計測データを前記ゲートウェイ装置に指示する指示部をさらに具備し、
前記要求部は、前記サーバに送信されていない計測データがある場合には、前記サーバにより指示された優先的に補完する計測データを優先的に前記メータに要求する
ことを特徴とする請求項１に記載の計測システム。
【請求項３】
前記指示部は、前記優先的に補完する計測データの期間を前記ゲートウェイ装置に指示することを特徴とする請求項２に記載の計測システム。
【請求項４】
前記指示部は、前記優先的に補完する計測データの時間を前記ゲートウェイ装置に指示することを特徴とする請求項２に記載の計測システム。
【請求項５】
前記指示部は、前記優先的に補完する計測データの所定の時間帯を前記ゲートウェイ装置に指示することを特徴とする請求項２に記載の計測システム。
【請求項６】
前記転送部は、前記欠損した計測データのうち、変化量が所定の閾値よりも大きい計測データを前記サーバに転送することを特徴とする請求項１に記載の計測システム。
【発明の詳細な説明】
【技術分野】
【０００１】
本発明の実施形態は、計測システムに関する。
【背景技術】
【０００２】
近年、電化製品等を制御するエネルギー管理システムが普及しつつある。このようなエネルギー管理システムの一種として、ＨＥＭＳ（Home  Energy  Management  System）と呼ばれるシステムが知られている。このようなＨＥＭＳにおいて、スマートメータは、定期的に積算電力量を測定し、測定した積算電力量のデータをタイムスタンプと共にゲートウェイ装置を介してサーバに送信する。
【０００３】
また、停電などの何らかの理由でデータ送信が行われないとサーバのデータに欠損が生じる。このような場合には、サーバは、欠損したデータを特定し、欠損したデータの要求をＨＧＷ（Home  Gate  Way）等のゲートウェイ装置を介してスマートメータに通知することで、データの補完を行う。
【先行技術文献】
【非特許文献】
【０００４】
【非特許文献１】“東芝ＨＥＭＳ（ホームエネルギーマネジメントシステム）”、［online］、［平成２８年９月２０日検索］、インターネット＜http://feminity.toshiba.co.jp/feminity/index_j.html＞
【発明の概要】
【発明が解決しようとする課題】
【０００５】
ところで、計測データに欠損が生じた場合には、サーバが欠損した計測データを特定するので、欠損した計測データの補完を行う際にサーバに負荷がかかるといった課題がある。
【課題を解決するための手段】
【０００６】
実施形態の計測システムは、計測データを所定時間ごとに取得するメータと、前記計測データをタイムスタンプとともに記憶するサーバと、前記計測データを前記サーバに送信するゲートウェイ装置とを有する。メータは、前記計測データを所定時間ごとに取得し、取得した計測データにタイムスタンプを付して前記ゲートウェイ装置に送信する取得部と、前記ゲートウェイ装置から計測データの要求を受信した場合には、該要求された計測データを取得し、取得した計測データにタイムスタンプを付して前記ゲートウェイ装置に送信する送信部とを具備する。サーバは、前記ゲートウェイ装置から前記計測データおよび前記タイムスタンプを取得した場合には、該計測データおよび前記タイムスタンプを記憶部に格納する格納部と、自装置で記憶する最新の計測データのタイムスタンプをゲートウェイ装置に通知する通知部とを具備する。ゲートウェイ装置は、前記サーバから送信された前記最新の計測データのタイムスタンプを基に、前記サーバに送信されていない計測データがあるか判定し、送信されていない計測データがある場合には、該計測データを欠損した計測データとして前記メータに要求する要求部と、前記メータから受信した前記計測データおよび前記タイムスタンプを前記サーバに転送する転送部とを具備する。
【発明の効果】
【０００７】
実施形態に係る計測システムによれば、欠損した計測データの補完を行う際のサーバの負荷を軽減することができる。
【図面の簡単な説明】
【０００８】
【図１】図１は、第１の実施形態に係る計測システムのシステム構成の一例を示す図である。
【図２】図２は、第１の実施形態に係るスマートメータの構成の一例を示す図である。
【図３】図３は、計測データ記憶部に記憶されるデータの一例を示す図である。
【図４】図４は、第１の実施形態に係るＨＧＷの構成の一例を示す図である。
【図５】図５は、第１の実施形態に係るサーバの構成の一例を示す図である。
【図６】図６は、第１の実施形態に係る計測システムにおける動作の一例を示すシーケンス図である。
【図７】図７は、第２の実施形態に係るサーバの構成の一例を示す図である。
【図８】図８は、第２の実施形態に係るサーバが優先的に補完する計測データを指示する処理を説明する図である。
【図９】図９は、第２の実施形態に係るサーバが優先的に補完する計測データを指示する処理を説明する図である。
【図１０】図１０は、第２の実施形態に係るサーバが優先的に補完する計測データを指示する処理を説明する図である。
【図１１】図１１は、第２の実施形態に係る計測システムにおける動作の一例を示すシーケンス図である。
【図１２】図１２は、第３の実施形態に係るＨＧＷが変化量に応じて補完する計測データを決定する処理を説明する図である。
【図１３】図１３は、第３の実施形態に係る計測システムにおける動作の一例を示すシーケンス図である。
【発明を実施するための形態】
【０００９】
以下で説明する実施形態に係る計測システムは、計測データを所定時間ごとに取得するスマートメータ１０と、計測データをタイムスタンプとともに記憶するサーバ３０と、計測データをサーバ３０に送信するＨＧＷ２０とを有する。スマートメータ１０は、計測データを所定時間ごとに取得し、取得した計測データにタイムスタンプを付してＨＧＷ２０に送信する取得部１２ａと、ＨＧＷ２０から計測データの要求を受信した場合には、該要求された計測データを取得し、取得した計測データにタイムスタンプを付してＨＧＷ２０に送信する送信部１２ｂとを具備する。サーバ３０は、ＨＧＷ２０から計測データおよびタイムスタンプを取得した場合には、該計測データおよびタイムスタンプを計測データ記憶部３３ａに格納する格納部３２ａと、自装置で記憶する最新の計測データのタイムスタンプをＨＧＷ２０に通知する通知部３２ｂとを具備する。ＨＧＷ２０は、サーバ３０から送信された最新の計測データのタイムスタンプを基に、サーバ３０に送信されていない計測データがあるか判定し、送信されていない計測データがある場合には、該計測データを欠損した計測データとしてスマートメータ１０に要求する要求部２２ａと、スマートメータ１０から受信した計測データおよびタイムスタンプをサーバ３０に転送する転送部２２ｂとを具備する。
【００１０】
また、以下で説明する実施形態に係る計測システムにおいて、サーバ３０Ａは、欠損した計測データのうち、優先的に補完する計測データを決定し、優先的に補完する計測データをＨＧＷ２０に指示する指示部３２ｃをさらに具備し、要求部２２ａは、サーバ３０Ａに送信されていない計測データがある場合には、サーバ３０Ａにより指示された優先的に補完する計測データを優先的にスマートメータ１０に要求する。
【００１１】
また、以下で説明する実施形態に係る計測システムにおいて、指示部３２ｃは、優先的に補完する計測データの期間をＨＧＷ２０に指示する。
【００１２】
また、以下で説明する実施形態に係る計測システムにおいて、指示部３２ｃは、優先的に補完する計測データの時間をＨＧＷ２０に指示する。
【００１３】
また、以下で説明する実施形態に係る計測システムにおいて、指示部３２ｃは、優先的に補完する計測データの所定の時間帯をＨＧＷ２０に指示する。
【００１４】
また、以下で説明する実施形態に係る計測システムにおいて、転送部２２ｂは、欠損した計測データのうち、変化量が所定の閾値よりも大きい計測データをサーバ３０に転送する。
【００１５】
以下、図面を参照して、実施形態に係る計測システムを説明する。実施形態において同一の部位には同一の符号を付し、重複する説明は省略される。
【００１６】
（第１の実施形態）
まず、図１〜図１３を用いて、第１の実施形態に係る計測システムついて説明する。
【００１７】
［計測システムの構成］
まず、本発明の実施形態に係る計測システムのシステム構成の一例を図１に基づいて説明する。図１は、第１の実施形態に係る計測システムのシステム構成の一例を示す図である。図１の例では、計測システムは、複数のスマートメータ１０と、複数のＨＧＷ２０と、サーバ３０とを具備する。
【００１８】
スマートメータ１０は、計測データを所定時間ごとに取得する。例えば、スマートメータ１０は、電力系統から供給された電力を計測するメータであり、宅内に設置された家電装置等の電気機器が消費した積算電力量を計測する。なお、スマートメータ１０に限定されるものではなく、計測機能をもつ太陽光発電装置や蓄電池であってもよく、太陽光発電の積算発電電力量や蓄電池の積算放電電力量を計測するようにしてもよい。スマートメータ１０は、例えば、３０分毎に積算電力量を計測し、最大１００日間計測データを保存しておくことができる。
【００１９】
ＨＧＷ２０は、計測データをサーバ３０に送信する。ＨＧＷ２０は、スマートメータ１０とサーバ３０との間の各種通信を中継するゲートウェイ装置である。ＨＧＷ２０は、スマートメータ１０から計測データとともにタイムスタンプを受信し、該計測データおよびタイムスタンプをサーバ３０に送信する。なお、ＨＧＷ２０は、必要な時にスマートメータ１０から日付を遡って計測データを取得できるものとする。
【００２０】
サーバ３０は、計測データをタイムスタンプとともに記憶する。例えば、サーバ３０は、複数のスマートメータ１０から計測データを受信し、受信した計測データを保管することで、家庭ごとの電力の利用状況を監視したり、計測データをユーザが閲覧できるようにしたりする。なお、サーバ３０は、各家庭の家族構成を示す家族構成情報や電力の利用に関する契約内容を示す契約情報を記憶しているものとする。
【００２１】
計測システムにおいては、例えば、停電が起きた、ＨＧＷ２０の電源が切れていた、ネットワークに障害がありＨＧＷ２０がサーバ３０と通信できなかった等の理由で３０分毎に計測データをサーバ３０に送付できなかったとき、その時間帯のデータは欠損となる。
【００２２】
サーバ３０は、例えば、補完情報として、定期的に自装置で記憶する最新の計測データのタイムスタンプをＨＧＷ２０に通知する。そして、ＨＧＷ２０は、サーバから送信された最新の計測データのタイムスタンプから、欠損した計測データがあるか判定し、欠損した計測データがある場合には、欠損した計測データをスマートメータ１０に要求して取得し、該計測データをサーバ３０に送信する。
【００２３】
［スマートメータの構成］
図２を参照し、スマートメータ１０の構成について説明する。図２は、第１の実施形態に係るスマートメータの構成の一例を示す図である。スマートメータ１０は、通信部１１と、制御部１２と、記憶部１３と、を備える。
【００２４】
通信部１１は、無線通信処理や有線通信処理を行うためのネットワークデバイスである。具体的には、通信部１１は、図１に示したＨＧＷ２０との間で、無線通信により各種情報を送受信する。
【００２５】
例えば、通信部１１は、ＨＧＷ２０に対して計測データおよびタイムスタンプを送信する。また、通信部１１は、ＨＧＷ２０から計測データの要求を受信する。
【００２６】
記憶部１３は、例えば、ＲＡＭ（Random  Access  Memory)、フラッシュメモリ（Flash  Memory）等の半導体メモリ素子、または、ハードディスク、光ディスク等の記憶装置によって実現される。かかる記憶部１３は、計測データ記憶部１３ａを有する。
【００２７】
計測データ記憶部１３ａは、計測時の日時を示すタイムスタンプと、計測データとを対応付けて記憶する。例えば、計測データ記憶部１３ａは、図３に例示するように、「タイムスタンプ」と、計測データである「積算電力量」とを対応付けて記憶する。図３は、計測データ記憶部に記憶されるデータの一例を示す図である。図３の例では、計測データ記憶部１３ａは、３０分毎の積算電力量の値を記憶している。
【００２８】
制御部１２は、取得部１２ａと、送信部１２ｂとを有する。制御部１２は、例えば、ＣＰＵ（Central  Processing  Unit）やＭＰＵ（Micro  Processing  Unit）などの電子回路やＡＳＩＣ（Application  Specific  Integrated  Circuit）やＦＰＧＡ（Field  Programmable  Gate  Array）などの集積回路であり、スマートメータ１０の全体制御を実行する。
【００２９】
取得部１２ａは、計測データを所定時間ごとに取得し、取得した計測データにタイムスタンプを付してＨＧＷ２０に送信する。例えば、取得部１２ａは、計測データとして、積算電力量を３０分毎に取得し、取得した計測データにタイムスタンプを付してＨＧＷ２０に送信する。また、取得部１２ａは、取得した積算電力量とタイムスタンプとを対応付けて計測データ記憶部１３ａに格納する。
【００３０】
送信部１２ｂは、ＨＧＷ２０から計測データの要求を受信した場合には、該要求された計測データを取得し、取得した計測データにタイムスタンプを付してＨＧＷ２０に送信する。例えば、送信部１２ｂは、停電等の理由により欠損した計測データがある場合に、ＨＧＷ２０から計測データの要求を受け付け、該要求された計測データの時間帯に対応する計測データを計測データ記憶部１３ａから読み出して、ＨＧＷ２０に送信する。
【００３１】
［ＨＧＷの構成］
図４を参照し、ＨＧＷ２０の構成について説明する。図４は、第１の実施形態に係るＨＧＷの構成の一例を示す図である。ＨＧＷ２０は、通信部２１と、制御部２２と、記憶部２３と、を備える。
【００３２】
通信部２１は、無線通信処理や有線通信処理を行うためのネットワークデバイスである。具体的には、通信部２１は、図１に示したスマートメータ１０およびサーバ３０との間で、無線通信により各種情報を送受信する。
【００３３】
例えば、通信部２１は、スマートメータ１０から計測データおよびタイムスタンプを受信し、該計測データおよびタイムスタンプをサーバ３０に送信する。また、通信部２１は、スマートメータ１０に対して計測データの要求を送信する。
【００３４】
記憶部２３は、例えば、ＲＡＭ（Random  Access  Memory)、フラッシュメモリ（Flash  Memory）等の半導体メモリ素子、または、ハードディスク、光ディスク等の記憶装置によって実現される。かかる記憶部２３は、最新タイムスタンプ記憶部２３ａを有する。
【００３５】
最新タイムスタンプ記憶部２３ａは、ＨＧＷ２０がスマートメータ１０から受信した計測データのタイムスタンプのうち、最新のタイムスタンプを記憶する。
【００３６】
制御部２２は、要求部２２ａと、転送部２２ｂとを有する。制御部２２は、例えば、ＣＰＵやＭＰＵなどの電子回路やＡＳＩＣやＦＰＧＡなどの集積回路であり、ＨＧＷ２０の全体制御を実行する。
【００３７】
要求部２２ａは、サーバ３０から送信された最新の計測データのタイムスタンプを基に、サーバ３０に送信されていない計測データがあるか判定し、送信されていない計測データがある場合には、該計測データを欠損した計測データとしてスマートメータ１０に要求する。
【００３８】
例えば、要求部２２ａは、サーバ３０から送信された最新の計測データのタイムスタンプを受信すると、該最新の計測データのタイムスタンプと最新タイムスタンプ記憶部２３ａに記憶されたタイムスタンプとを比較し、両者が異なる場合には、サーバ３０に送信されていない計測データがあると判定する。なお、サーバ３０に送信されていない計測データを判定する処理は上記の例に限定されるものではなく、例えば、サーバ３０から送信された最新の計測データのタイムスタンプと現在の時刻とを比較して、サーバ３０に送信されていない計測データがある否かを判定するようにしてもよい。
【００３９】
そして、要求部２２ａは、サーバ３０に送信されていない計測データがあると判定した場合には、欠損した時間帯の計測データをスマートメータ１０に要求する。例えば、要求部２２ａは、２０１６年９月１日から現在までの計測データをスマートメータ１０に要求する。
【００４０】
転送部２２ｂは、スマートメータ１０から受信した計測データおよびタイムスタンプをサーバ３０に転送する。例えば、転送部２２ｂは、スマートメータ１０から計測データおよびタイムスタンプを受信すると、該計測データおよびタイムスタンプをサーバ３０に転送する。
【００４１】
［サーバの構成］
図５を参照し、サーバ３０の構成について説明する。図５は、第１の実施形態に係るサーバの構成の一例を示す図である。サーバ３０は、通信部３１と、制御部３２と、記憶部３３と、を備える。
【００４２】
通信部３１は、無線通信処理や有線通信処理を行うためのネットワークデバイスである。具体的には、通信部３１は、図１に示したＨＧＷ２０との間で、無線通信により各種情報を送受信する。
【００４３】
例えば、通信部３１は、ＨＧＷ２０から計測データおよびタイムスタンプを受信し、サーバ３０で記憶する最新の計測データのタイムスタンプをＨＧＷ２０に送信する。
【００４４】
記憶部３３は、例えば、ＲＡＭ、フラッシュメモリ等の半導体メモリ素子、または、ハードディスク、光ディスク等の記憶装置によって実現される。かかる記憶部３３は、計測データ記憶部３３ａを有する。
【００４５】
計測データ記憶部３３ａは、ＨＧＷ２０から受信した計測データとタイムスタンプを記憶するものであり、計測データ記憶部１３ａと同様に、計測時の日時を示すタイムスタンプと、計測データとを対応付けて記憶する。
【００４６】
制御部３２は、格納部３２ａと、通知部３２ｂとを有する。制御部３２は、例えば、ＣＰＵやＭＰＵなどの電子回路やＡＳＩＣやＦＰＧＡなどの集積回路であり、サーバ３０の全体制御を実行する。
【００４７】
格納部３２ａは、ＨＧＷ２０から計測データおよびタイムスタンプを取得した場合には、該計測データおよびタイムスタンプを計測データ記憶部３３ａに格納する。例えば、格納部３２ａは、ＨＧＷ２０から計測データおよびタイムスタンプを３０分毎に取得し、取得した計測データおよびタイムスタンプを計測データ記憶部３３ａに格納する。また、格納部３２ａは、欠損した計測データをＨＧＷ２０から受信した場合にも、計測データおよびタイムスタンプを計測データ記憶部３３ａに格納する。
【００４８】
通知部３２ｂは、自装置で記憶する最新の計測データのタイムスタンプをＨＧＷ２０に通知する。例えば、通知部３２ｂは、所定の時間ごとに、計測データ記憶部３３ａを参照し、最新の計測データのタイムスタンプを読み出し、該タイムスタンプを補完指示としてＨＧＷ２０に通知する。
【００４９】
［計測システムの処理手順］
次に、図６を参照して、計測システムにおける動作例を説明する。図６は、第１の実施形態に係る計測システムにおける動作の一例を示すシーケンス図である。図６に示すように、スマートメータ１０は、計測データとして積算電力量（積算値）を３０分毎に取得し、取得した最新の計測データにタイムスタンプを付したデータを状態の変化を通知する状変通知としてＨＧＷ２０に送信する（ステップＳ１０１）。
【００５０】
そして、ＨＧＷ２０は、スマートメータ１０から受信した最新の積算値をサーバ３０に転送する（ステップＳ１０２）。また、サーバ３０は、計測データ記憶部３３ａを参照し、最新の計測データのタイムスタンプを読み出し、該タイムスタンプを補完指示としてＨＧＷ２０に通知する（ステップＳ１０３）。
【００５１】
ＨＧＷ２０は、サーバ３０から送信された最新の計測データのタイムスタンプを基に、サーバ３０に送信されていない計測データがあるか判定し、送信されていない計測データがある場合には、該計測データを含む積算電力量の履歴をスマートメータ１０に要求する（ステップＳ１０４）。
【００５２】
そして、ＨＧＷ２０は、スマートメータ１０から積算電力量の履歴を受信すると（ステップＳ１０５）、スマートメータ１０から積算電力量の履歴をサーバ３０に転送する（ステップＳ１０６）。サーバ３０は、積算電力量の履歴をＨＧＷ２０から受信し、欠損した計測データの補完が完了すると、補完が完了した旨の通知をＨＧＷ２０に通知する（ステップＳ１０７）。
【００５３】
［第１の実施形態の効果］
このように、第１の実施形態に係る計測システムでは、計測データを所定時間ごとに取得するスマートメータ１０と、計測データをタイムスタンプとともに記憶するサーバ３０と、計測データをサーバ３０に送信するＨＧＷ２０とを有する。スマートメータ１０は、計測データを所定時間ごとに取得し、取得した計測データにタイムスタンプを付してＨＧＷ２０に送信する取得部１２ａと、ＨＧＷ２０から計測データの要求を受信した場合には、該要求された計測データを取得し、取得した計測データにタイムスタンプを付してＨＧＷ２０に送信する送信部１２ｂとを具備する。サーバ３０は、ＨＧＷ２０から計測データおよびタイムスタンプを取得した場合には、該計測データおよびタイムスタンプを計測データ記憶部３３ａに格納する格納部３２ａと、自装置で記憶する最新の計測データのタイムスタンプをＨＧＷ２０に通知する通知部３２ｂとを具備する。ＨＧＷ２０は、サーバ３０から送信された最新の計測データのタイムスタンプを基に、サーバ３０に送信されていない計測データがあるか判定し、送信されていない計測データがある場合には、該計測データを欠損した計測データとしてスマートメータ１０に要求する要求部２２ａと、スマートメータ１０から受信した計測データおよびタイムスタンプをサーバ３０に転送する転送部２２ｂとを具備する。
【００５４】
このため、実施形態に係る計測システムでは、欠損した計測データの補完を行う際のサーバ３０の負荷を軽減することができる。つまり、サーバ３０は、欠損したデータを特定する処理を行わずに、自装置で記憶する最新の計測データのタイムスタンプをＨＧＷ２０に通知するだけで、欠損した計測データの補完を行うことができるため、サーバ３０の負荷を軽減することができる。
【００５５】
（第２の実施形態）
第１の実施形態では、ＨＧＷ２０は、サーバ３０に送信されていない計測データがあるか判定し、欠損した計測データが存在する場合には、欠損した計測データ全てをスマートメータ１０に要求し、サーバ３０に転送する例を説明した。第２の実施形態では、サーバ３０Ａが、欠損した計測データのうち、優先的に補完する計測データを決定し、優先的に補完する計測データをＨＧＷ２０に指示し、ＨＧＷ２０が、サーバ３０Ａにより指示された優先的に補完する計測データを優先的にスマートメータ１０に要求する例を説明する。
【００５６】
［サーバの構成］
図７は、第２の実施形態に係るサーバの構成の一例を示す図である。図７に示すように、サーバ３０Ａは、指示部３２ｃをさらに有する。指示部３２ｃは、欠損した計測データのうち、優先的に補完する計測データを決定し、優先的に補完する計測データをＨＧＷ２０に指示する。例えば、指示部３２ｃは、タイムスタンプが新しい計測データを優先的に補完するように指示してもよい。また、図８に例示するように、指示部３２ｃは、タイムスタンプが古い計測データを優先的に補完するように指示してもよい。
【００５７】
また、指示部３２ｃは、優先的に補完する計測データの期間をＨＧＷ２０に指示するようにしてもよい。この場合には、例えば、指示部３２ｃは、「２０１６年９月１日から３日分」と期間を指定して優先的に補完する計測データを要求する。
【００５８】
また、指示部３２ｃは、優先的に補完する計測データの時間をＨＧＷ２０に指示するようにしてもよい。この場合には、例えば、指示部３２ｃは、図９に例示するように、「２０１６年９月１日から現在までの毎日の０時０分」と時間を指定して優先的に補完する計測データを要求する。
【００５９】
ユーザがサーバに保管された計測データを閲覧、たとえばグラフを表示させるとき、時間の粒度は必ずしも細かなものとは限らない。例えば、日ごとのデータ、週ごとのデータ、月ごとのデータのようにまとめて表示させることもある。このとき、３０分ごとの計測データが全て揃っていなくても、上記のように毎日の０時０分の計測データさえサーバ３０にあれば、日ごとのデータはグラフにして閲覧できる。同様に、毎日曜日の０時０分の計測データがサーバにあれば週ごと、毎月１日の０時０分の計測データがサーバ３０にあれば月ごとのデータは閲覧できる。
【００６０】
また、指示部３２ｃは、優先的に補完する計測データの所定の時間帯をＨＧＷ２０に指示するようにしてもよい。この場合には、例えば、指示部３２ｃは、図１０に例示するように、「２０１６年９月１日０時０分から毎日の６時０分から９時０分、１８時から２４時は３０分毎、それ以外は３時間ごと」と細かく補完する時間と粗く補完する時間を指定して計測データを要求する。
【００６１】
ユーザがサーバに保管された計測データを閲覧するとき、関心が高いのは変化量の多い部分であると思われる。電力であれば、朝や帰宅後〜就寝前は消費量が大きく、深夜やそれ以外の昼間は小さい。計測データの変化量が多いと思われる時間帯は細かく計測データを集めるべきだが、変化量が少ないと思われる時間帯の計測データは必ずしも細かくなくても良く、優先度は低い。なお、家庭環境や電力会社との契約によって消費量の大きな時間帯は異なるため、ユーザごとに適した補完指示をするために家族構成情報や契約情報などの外部情報を用いてもよい。
【００６２】
また、第２の実施形態におけるＨＧＷ２０の要求部２２ａは、サーバ３０に送信されていない計測データがある場合には、サーバ３０により指示された優先的に補完する計測データを優先的にスマートメータ１０に要求する。なお、要求部２２ａは、補完しきれなかった計測データについては、サーバ３０の負荷が落ち着いてから改めて要求するようにしてもよい。
【００６３】
［計測システムの処理手順］
次に、図１１を参照して、計測システムにおける動作例を説明する。図１１は、第２の実施形態に係る計測システムにおける動作の一例を示すシーケンス図である。図１１に示すように、スマートメータ１０は、計測データとして積算電力量（積算値）を３０分毎に取得し、取得した最新の計測データにタイムスタンプを付したデータを状態の変化を通知する状変通知としてＨＧＷ２０に送信する（ステップＳ２０１）。
【００６４】
そして、ＨＧＷ２０は、スマートメータ１０から受信した最新の積算値をサーバ３０Ａに転送する（ステップＳ２０２）。また、サーバ３０Ａは、優先的に補完する計測データを決定し（ステップＳ２０３）、優先的に補完する計測データをＨＧＷ２０に指示するとともに、計測データ記憶部３３ａを参照して最新の計測データのタイムスタンプを読み出し、該タイムスタンプを補完指示としてＨＧＷ２０に通知する（ステップＳ２０４）。なお、優先的に補完する計測データをＨＧＷ２０に指示するタイミングは、このタイミングに限られるものではなく、任意のタイミングでよい。
【００６５】
ＨＧＷ２０は、サーバ３０Ａから送信された最新の計測データのタイムスタンプを基に、サーバ３０Ａに送信されていない計測データがあるか判定し、送信されていない計測データがある場合には、サーバ３０Ａにより指示された優先的に補完する計測データを優先的にスマートメータ１０に要求する（ステップＳ２０５）。
【００６６】
そして、ＨＧＷ２０は、スマートメータ１０から積算電力量の履歴を受信すると（ステップＳ２０６）、スマートメータ１０から積算電力量の履歴をサーバ３０Ａに転送する（ステップＳ２０７）。サーバ３０Ａは、積算電力量の履歴をＨＧＷ２０から受信し、欠損した計測データの補完が完了すると、補完が完了した旨の通知をＨＧＷ２０に通知する（ステップＳ２０８）。
【００６７】
［第２の実施形態の効果］
このように、第２の実施形態に係る計測システムでは、サーバ３０Ａは、欠損した計測データのうち、優先的に補完する計測データを決定し、優先的に補完する計測データをＨＧＷ２０に指示する指示部３２ｃをさらに具備し、要求部２２ａは、サーバ３０Ａに送信されていない計測データがある場合には、サーバ３０Ａにより指示された優先的に補完する計測データを優先的にスマートメータ１０に要求する。このため、一度の補完で送付される計測データの量を減らし、サーバ負荷を軽減することが可能である。
【００６８】
つまり、第２の実施形態に係る計測システムでは、例えば、停電のような大規模な障害から復旧した際に、大きなデータが各家庭のＨＧＷ２０から大量にサーバ３０Ａに送られてサーバ３０Ａの負荷が高くなることを避けるため、送付される計測データおよびタイムスタンプの情報を減らすことで、サーバ負荷を軽減する。
【００６９】
また、第２の実施形態に係る計測システムでは、指示部３２ｃは、優先的に補完する計測データの期間をＨＧＷ２０に指示する。このため、特定の期間のみ優先的に計測データを補完することができ、サーバ負荷を軽減することが可能である。
【００７０】
また、第２の実施形態に係る計測システムでは、指示部３２ｃは、優先的に補完する計測データの時間をＨＧＷ２０に指示する。このため、特定の時間のみ優先的に計測データを補完することができ、サーバ負荷を軽減することが可能である。
【００７１】
また、第２の実施形態に係る計測システムでは、指示部３２ｃは、優先的に補完する計測データの所定の時間帯をＨＧＷ２０に指示する。このため、特定の時間帯のみ優先的に計測データを補完することができ、サーバ負荷を軽減することが可能である。
【００７２】
（第３の実施形態）
第１の実施形態では、ＨＧＷ２０は、欠損した計測データが存在する場合には、欠損した計測データ全てをスマートメータ１０に要求し、スマートメータ１０から受信した計測データをそのままサーバ３０に転送する例を説明した。第３の実施形態では、ＨＧＷ２０は、欠損した計測データのうち、変化量が所定の閾値よりも大きい計測データのみをサーバ３０に転送する。
【００７３】
第３の実施形態では、ＨＧＷ２０の転送部２２ｂは、欠損した計測データのうち、変化量が所定の閾値よりも大きい計測データをサーバ３０に転送する。例えば、図１２に例示するように、ＨＧＷ２０の転送部２２ｂは、欠損した計測データをスマートメータ１０から受信すると、該計測データのうち、変化量があらかじめ定めておいた閾値を超えた箇所を抽出し、抽出した箇所のみをサーバ３０に転送する。これにより、サーバ３０は、変化量の大きな箇所だけ優先して補完することができる。
【００７４】
具体例を挙げて説明すると、例えば、転送部２２ｂは、２０１６年９月１日０時０分から現在までの計測データをスマートメータ１０から受信すると、３０分前の計測データとの差が０．２ｋＷｈを超えていれば、サーバ３０に送付する。
【００７５】
また、転送部２２ｂは、変化量の多い一部の計測データを抽出する処理として、例えば、３０分ごと１日分４８コマ分の計測データのうち変化量の多い上位１０％のみを抽出するようにしてもよい。具体例を挙げて説明すると、転送部２２ｂは、９月１日の０時０分から２３時３０分までの４８個の計測データを受信すると、前の時間の計測データとの差分を取り出してソートする。そして、転送部２２ｂは、ソートした結果、変化量の大きい上位５件を取り出し、その前後の時刻のデータ計１０件をサーバ３０に送付する。なお、９月２日以降の計測データについても同様に処理する。
【００７６】
［計測システムの処理手順］
次に、図１３を参照して、計測システムにおける動作例を説明する。図１３は、第３の実施形態に係る計測システムにおける動作の一例を示すシーケンス図である。図１３に示すように、スマートメータ１０は、計測データとして積算電力量（積算値）を３０分毎に取得し、取得した最新の計測データにタイムスタンプを付したデータを状態の変化を通知する状変通知としてＨＧＷ２０に送信する（ステップＳ３０１）。
【００７７】
そして、ＨＧＷ２０は、スマートメータ１０から受信した最新の積算値をサーバ３０に転送する（ステップＳ３０２）。また、サーバ３０は、計測データ記憶部３３ａを参照し、最新の計測データのタイムスタンプを読み出し、該タイムスタンプを補完指示としてＨＧＷ２０に通知する（ステップＳ３０３）。
【００７８】
ＨＧＷ２０は、サーバ３０から送信された最新の計測データのタイムスタンプを基に、サーバ３０に送信されていない計測データがあるか判定し、送信されていない計測データがある場合には、該計測データを含む積算電力量の履歴をスマートメータ１０に要求する（ステップＳ３０４）。
【００７９】
そして、ＨＧＷ２０は、スマートメータ１０から積算電力量の履歴を受信すると（ステップＳ３０５）、該計測データのうち、変化量の大きな箇所を抽出し、抽出した変化量の大きい箇所のみ積算電力量の履歴をサーバ３０に転送する（ステップＳ３０６）。サーバ３０は、積算電力量の履歴をＨＧＷ２０から受信し、欠損した計測データの補完が完了すると、補完が完了した旨の通知をＨＧＷ２０に通知する（ステップＳ３０７）。
【００８０】
［第３の実施形態の効果］
このように、第３の実施形態に係る計測システムでは、ＨＧＷ２０の転送部２２ｂは、欠損した計測データのうち、変化量が所定の閾値よりも大きい計測データをサーバ３０に転送する。このため、サーバ３０は、変化量の大きな箇所だけ優先して補完することが可能である。
【００８１】
以上、本発明を実施の形態を用いて説明したが、本発明の技術的範囲は上記実施の形態に記載の範囲には限定されない。上記実施の形態に多様な変更または改良を加えることが可能であることが当業者には明らかである。また、そのような変更または改良を加えた形態も本発明の技術的範囲に含まれ得ることが、特許請求の範囲の記載から明らかである。
【符号の説明】
【００８２】
１０  スマートメータ
１１、２１、３１  通信部
１２、２２、３２  制御部
１２ａ  取得部
１２ｂ  送信部
１３、２３、３３  記憶部
１３ａ、３３ａ  計測データ記憶部
２０  ＨＧＷ
２２ａ  要求部
２２ｂ  転送部
２３ａ  最新タイムスタンプ記憶部
３０  サーバ
３２ａ  格納部
３２ｂ  通知部
３２ｃ  指示部
【図１】
2018055166.tif 000003
【図２】
2018055166.tif 000004
【図３】
2018055166.tif 000005
【図４】
2018055166.tif 000006
【図５】
2018055166.tif 000007
【図６】
2018055166.tif 000008
【図７】
2018055166.tif 000009
【図８】
2018055166.tif 000010
【図９】
2018055166.tif 000011
【図１０】
2018055166.tif 000012
【図１１】
2018055166.tif 000013
【図１２】
2018055166.tif 000014
【図１３】
2018055166.tif 000015